(57)【要約】【課題】眼鏡は、２つのレンズを連結するブリッジとレンズに取り付けられ眼鏡のつるを支持する側面部品とを備える。レンズは、取付手段（１）により側面部品とブリッジとに連結されている。【解決手段】本発明は、少なくとも１つの取付手段（１）が、レンズ内の穴に挿入されるＵ字状のワイヤループ（２）を備え、ワイヤが付勢されて穴の壁面の軸方向に延びる溝に積極的に係合するようにプラグ（３）により固定されることを特徴とする。また、眼鏡レンズが眼鏡の側面部品と眼鏡のブリッジとに連結されてなる眼鏡用の取付手段（１）は、少なくとも１つの取付手段（１）が、レンズ内の穴に挿入されるＵ字状のワイヤループ（２）を備え、ワイヤが付勢されて穴の壁面の軸方向に延びる溝に積極的に係合するようにプラグ（３）により固定されることを特徴とする。【選択図】図１
2004530161.tif 000002
【特許請求の範囲】
【請求項１】
２つのレンズを連結するブリッジと該レンズに取り付けられ眼鏡のつるを支持する側面部品とを備える眼鏡であって、前記レンズは、取付手段（１）により前記側面部品と前記ブリッジとに連結されている眼鏡において、
少なくとも１つの取付手段（１）は、レンズ内の穴に挿入されるＵ字状のワイヤループ（２）を備え、前記ワイヤが付勢されて前記穴の壁面の軸方向に延びる溝に積極的に係合するように、プラグ（３）により固定されることを特徴とする眼鏡。
【請求項２】
前記プラグ（３）は、合成材料からなるプラグであることを特徴とする請求項１記載の眼鏡。
【請求項３】
前記プラグ（３）は、接着剤で固定されることを特徴とする請求項１又は２記載の眼鏡。
【請求項４】
前記接着剤は、放射線により活性化する接着剤、エポキシ樹脂系接着剤、ホットメルト型接着剤、又は熱可塑性合成材料であることを特徴とする請求項３記載の眼鏡。
【請求項５】
眼鏡レンズが眼鏡の側面部品と眼鏡のブリッジとに連結されてなる眼鏡用の取付手段（１）において、
少なくとも１つの取付手段（１）は、レンズ内の穴に挿入されるＵ字状のワイヤループ（２）を備え、前記ワイヤが付勢されて前記穴の壁面の軸方向に延びる溝に積極的に係合するように、プラグ（３）により固定されることを特徴とする取付手段。
【請求項６】
前記プラグ（３）は、合成材料からなるプラグであることを特徴とする請求項５記載の眼鏡。
【請求項７】
前記プラグ（３）は、接着剤で固定されることを特徴とする請求項５又は６記載の眼鏡。
【請求項８】
前記接着剤は、放射線により活性化する接着剤、エポキシ樹脂系接着剤、ホットメルト型接着剤、又は熱可塑性合成材料であることを特徴とする請求項３記載の眼鏡。
【発明の詳細な説明】
【技術分野】
【０００１】
本発明は、眼鏡および取付手段に関するものである。
【背景技術】
【０００２】
一般に、眼鏡レンズおよび眼鏡の取付部品は、ねじ、ねじスリーブ、又はナット付きのねじピンにより併せて連結されている。これらは、通常、２つの穴に固定されたり或いはレンズ周辺の切欠きにピンを挿入させたりすることで回転しないように構成されている。特に多用される方法としては、レンズ内の楕円形穴にＵ字状に折り曲げたワイヤを挿入する方法がある。
【０００３】
具体的には、複数組の保持ピンを備える眼鏡用のレンズホルダーが開示されている（例えば、特許文献１参照）。これら保持ピンの各々は、眼鏡レンズの対応する穴に係合し、眼鏡の取付部により支持されている。また、複数の保持ピンは、Ｕ字状のワイヤブラケットの独立した複数のリムから構成される。そして、ワイヤブラケットは、取付部に併せて取り付けられた２つのリムを連結する横桟の一部を有している。
【０００４】
また、２つのレンズを連結するブリッジとピン状取付部品をそれぞれ有する複数のブラケットとを備えた穿孔を有する眼鏡の取り付けが開示されている（例えば、特許文献２参照）。ピン状取付部品は、それぞれ翼状の取付領域を有し、眼鏡レンズは、レンズの末端から所定の距離離れた位置にある対応する溝状（ビーズ形状）の切欠きを有し、幅広な取付領域に対して張力が無く耐回転性で形状嵌合する係合が得られる。
【特許文献１】
欧州特許出願公開第０５６１７６３号明細書
【特許文献２】
欧州特許出願公開第１０２４３９０号明細書
【発明の開示】
【発明が解決しようとする課題】
【０００５】
しかしながら、従来技術で公知な取付手段の多くは、レンズに対して比較的困難な機械加工を必要とする。さらに、例えば、楕円形の穴にワイヤのループを挿入しただけなどの取付手段では、固定が十分でない。
【０００６】
そこで、本発明は、極めて小さなサイズの取付手段でありながらレンズの強固な取り付けを保証する眼鏡を提供することを目的とする。本発明によれば、上記目的は、請求項１に示した特徴により達成される。
【課題を解決するための手段】
【０００７】
上記目的は、次のような本発明により達成される。すなわち、本発明は、レンズ内の穴に挿入されるＵ字状のワイヤループを有する少なくとも１つの取付手段を備え、この取付手段は、ワイヤが付勢されて穴の壁面の軸方向に延びる溝に積極的に係合するようにプラグにより固定されることを特徴とする。
【０００８】
プラグは、合成材料からなるプラグであることが好ましく、必要であれば追加的に接着剤で固定されていても良い。
【０００９】
ここで用いる接着剤としては、放射線により活性化する接着剤、エポキシ樹脂系接着剤、ホットメルト型接着剤、又は熱可塑性合成材料のいずれかが挙げられる。
【００１０】
さらに、本発明の目的は、極めて小さなサイズの取付手段でありながらレンズの強固な取り付けを保証する取付手段を提供することである。本発明によれば、上記目的は、請求項１に示した特徴により達成される。
【発明の効果】
【００１１】
上記目的は、次のような本発明により達成される。すなわち、本発明は、レンズ内の穴に挿入されるＵ字状のワイヤループを有する少なくとも１つの取付手段を備え、この取付手段は、ワイヤが付勢されて穴の壁面に設けた軸方向に延びる溝に積極的に係合するようにプラグにより固定されることを特徴とする。
【００１２】
プラグは、合成材料からなるプラグであることが好ましく、必要であれば追加的に接着剤で固定されていても良い。
【００１３】
ここで用いる接着剤としては、放射線により活性化する接着剤、エポキシ樹脂系接着剤、ホットメルト型接着剤、又は熱可塑性合成材料のいずれかが挙げられる。
【発明を実施するための最良の形態】
【００１４】
以下、添付図面を参照して本発明を詳細に説明する。
【００１５】
取付部品１は、薄いワイヤからなるループ２がレンズ縁の近傍にある特定形状の穴に嵌入するように設計されており、プラグ３の挿入により、滑動しないように留められ、所定位置に半永久的に固定される。
【図面の簡単な説明】
【００１６】
【図１】ループ状のワイヤを積極的な係合状態で部分的に収納する溝を有した穴を示す図で、（ａ）は拡大断面図、（ｂ）は（ａ）のＩ−Ｉ線上の断面図である。
【図２】ループ状のワイヤを積極的な係合状態で完全に収納する溝を有した穴を示す図で、（ａ）は拡大断面図、（ｂ）は（ａ）のＩＩ−ＩＩ線上の断面図である。
【符号の説明】
【００１７】
１  取付部品
２  ループ
３  プラグ
【図１】
2004530161.tif 000003
【図２】
2004530161.tif 000004
【国際公開パンフレット】
2004530161.tif 000005
2004530161.tif 000006
2004530161.tif 000007
2004530161.tif 000008
2004530161.tif 000009
2004530161.tif 000010
2004530161.tif 000011
2004530161.tif 000012
【国際公開パンフレット（コレクトバージョン）】
2004530161.tif 000013
2004530161.tif 000014
【国際調査報告】
2004530161.tif 000015
2004530161.tif 000016
2004530161.tif 000017
2004530161.tif 000018
2004530161.tif 000019
2004530161.tif 000020